(57)【要約】【課題】操作部材の全操作範囲にわたり、操作部材の操作量に応じてタッチ重さを増減することができ、タッチ重さの調整を容易に行うことができる鍵盤楽器のタッチ重さ調整装置を提供する。【解決手段】前後方向に移動自在のスライダ１１と、支軸２６を中心としてウェイト支持レール２２に回動自在に支持されるとともに、ウェイト載置ピン７に載置された複数のウェイトレバー１２と、移動自在に構成され、鍵盤２のタッチ重さを調整するために操作される操作ダイヤル１３と、この操作ダイヤル１３とスライダ１１の間に設けられ、操作ダイヤル１３の操作に連動してスライダ１１を前後方向に移動させるとともに、操作ダイヤル１３の操作量に対するスライダ１１の移動量の変化度合が、ウェイトレバー１２の支軸２６がウェイト載置ピン７に近づくにつれ、より小さくなるように構成されたスライダ駆動機構１４と、を備えている。【選択図】図１
2010266719.tif 000002
【特許請求の範囲】
【請求項１】
各々が前後方向に延びるとともに中央付近において支点に回動自在に支持され、左右方向に並設された複数の鍵を有する鍵盤楽器において、鍵盤のタッチ重さを調整する鍵盤楽器のタッチ重さ調整装置であって、
前記複数の鍵の上方に左右方向に延びる錘支持部を有し、前後方向に移動自在のスライダと、
前記鍵ごとに設けられ、各々が前後方向に延び、一端部において左右方向に延びる支軸を中心として前記錘支持部に回動自在に支持されるとともに、前記鍵の前記支点よりも後方の所定位置に設けられた載置部に載置され、対応する前記鍵に連動してそれぞれ回動する複数の錘と、
移動自在に構成され、前記鍵盤のタッチ重さを調整するために操作される操作部材と、
この操作部材と前記スライダの間に設けられ、前記操作部材の操作に連動して前記スライダを前後方向に移動させるとともに、前記操作部材の操作量に対する前記スライダの移動量の変化度合が、前記錘の前記支軸が前記鍵の前記載置部に近づくにつれ、より小さくなるように構成されたスライダ駆動機構と、
を備えていることを特徴とする鍵盤楽器のタッチ重さ調整装置。
【請求項２】
前記スライダ駆動機構は、前記操作部材の操作に連動して、前記スライダの移動方向に対して直交する方向に延びる回動軸を中心に回動自在に構成され、当該回動軸から径方向に所定距離、離れた位置の係合部を介して、前記スライダに係合する回動部材を有し、
当該回動部材の回動に伴い、前記係合部を介して前記スライダが移動することによって、前記錘の前記支軸が前記鍵の前記載置部に最接近したときに、前記係合部が前記回動軸に対し、前後方向において前方または後方から対向することを特徴とする請求項１に記載の鍵盤楽器のタッチ重さ調整装置。
【請求項３】
前記操作部材は、上下方向および左右方向の一方に延びる軸線を中心として回動自在に構成されていることを特徴とする請求項１または２に記載の鍵盤楽器のタッチ重さ調整装置。
【請求項４】
前記操作部材は、前後方向に移動自在に構成されていることを特徴とする請求項１または２に記載の鍵盤楽器のタッチ重さ調整装置。
【請求項５】
前記操作部材を、操作により移動した任意の位置にロックするロック機構を、さらに備えていることを特徴とする請求項１ないし４のいずれかに記載の鍵盤楽器のタッチ重さ調整装置。
【発明の詳細な説明】
【技術分野】
【０００１】
本発明は、ピアノなどの鍵盤楽器に適用され、鍵盤のタッチ重さを調整する鍵盤楽器のタッチ重さ調整装置に関する。
【背景技術】
【０００２】
従来のタッチ重さ調整装置として、例えば、本出願人がすでに出願した特許文献１に開示されたものが知られている。このタッチ重さ調整装置は、アップライトピアノに適用された第３実施形態として、鍵ごとに設けられた複数のウェイトレバーと、これらのウェイトレバーを支持するとともに、前後方向にスライド自在のスライドレールと、このスライドレールに連結され、鍵盤のタッチ重さを調整するために操作されるアームなどを備えている。
【０００３】
各ウェイトレバーは、前後方向に延び、その前端部においてスライドレールに回動自在に支持されるとともに、鍵の回動支点としてのバランスピンよりも後方の所定位置に突設されたレバー受けスクリューに載置されている。これにより、ウェイトレバーによる荷重がレバー受けスクリューを介して鍵に作用し、その荷重の分、鍵のタッチ重さが大きくなる。
【０００４】
また、アームは、上下方向に延び、下端部においてピアノ本体に回動自在に支持されるとともに、長さ方向の中央部がスライドレールに連結されている。これにより、アームの上端部を前後方向に移動させると、スライドレールが前後方向に移動し、これと一体に、すべてのウェイトレバーも前後方向に移動する。
【０００５】
以上のように構成されたタッチ重さ調整装置において、鍵盤のタッチ重さを大きくするように調整する場合、アームを、その上端部が後方に移動するように操作する。このアームの操作により、その操作量に応じて、スライドレールが後方に移動し、これと一体に、ウェイトレバーも後方に移動する。この場合、ウェイトレバーの前端部の回動支点が、ウェイトレバーを載置するレバー受けスクリューに近づき、レバー受けスクリューを介して鍵に作用する荷重が次第に増加する。これに伴い、鍵盤のタッチ重さも次第に大きくなる。
【先行技術文献】
【特許文献】
【０００６】
【特許文献１】特開２００５−３１４６４号公報（図４−５）
【発明の概要】
【発明が解決しようとする課題】
【０００７】
しかし、このタッチ重さ調整装置では、タッチ重さが最も小さい状態から最も大きくなるようにアームを操作する場合、その操作当初から操作の中程にかけては、アームを操作した分、タッチ重さが大きくなるものの、その後、アームの操作終了に近づくにつれて、タッチ重さが急激に大きくなる。これは、次の理由による。すなわち、このタッチ重さ調整装置では、アームにスライドレールが直接、連結されているため、アームを操作した分、スライドレールとともにウェイトレバーが移動する。つまり、アームの操作範囲の全体にわたり、アームの操作量に対し、ウェイトレバーの移動量の変化度合がほぼ一定になっている。また、アームの操作により、ウェイトレバーの前端部の回動支点が、レバー受けスクリューに近づくと、ウェイトレバーのレバー受けスクリューよりも自由端（後端）側の部分の重量が次第に大きくなるとともに、その部分の重心とレバー受けスクリューとの距離も次第に大きくなる。このため、ウェイトレバーの回動支点回りのモーメントは、ウェイトレバーの回動支点がレバー受けスクリューに比較的近い範囲において、ウェイトレバーの回動支点がレバー受けスクリューに近づくにつれ、増加度合が大きくなる。それにより、レバー受けスクリューを介して鍵に作用する荷重の増加度合も大きくなることで、タッチ重さが急激に大きくなる。
【０００８】
このように、上記のタッチ重さ調整装置では、アームの操作範囲において、アームの操作量とタッチ重さの増減度合が不一致になる範囲が存在するので、その範囲におけるタッチ重さの調整、特に微調整を行いにくい。したがって、このタッチ重さ調整装置には、改善の余地がある。
【０００９】
本発明は、以上のような課題を解決するためになされたものであり、操作部材の全操作範囲にわたり、操作部材の操作量に応じてタッチ重さを増減することができ、タッチ重さの調整を容易に行うことができる鍵盤楽器のタッチ重さ調整装置を提供することを目的とする。
【課題を解決するための手段】
【００１０】
上記の目的を達成するために、請求項１に係る発明は、各々が前後方向に延びるとともに中央付近において支点に回動自在に支持され、左右方向に並設された複数の鍵を有する鍵盤楽器において、鍵盤のタッチ重さを調整する鍵盤楽器のタッチ重さ調整装置であって、複数の鍵の上方に左右方向に延びる錘支持部を有し、前後方向に移動自在のスライダと、鍵ごとに設けられ、各々が前後方向に延び、一端部において左右方向に延びる支軸を中心として錘支持部に回動自在に支持されるとともに、鍵の支点よりも後方の所定位置に設けられた載置部に載置され、対応する鍵に連動してそれぞれ回動する複数の錘と、移動自在に構成され、鍵盤のタッチ重さを調整するために操作される操作部材と、この操作部材とスライダの間に設けられ、操作部材の操作に連動してスライダを前後方向に移動させるとともに、操作部材の操作量に対するスライダの移動量の変化度合が、錘の支軸が鍵の載置部に近づくにつれ、より小さくなるように構成されたスライダ駆動機構と、を備えていることを特徴とする。
【００１１】
この構成によれば、スライダの錘支持部が、左右方向に並設された複数の鍵の上方に左右方向に延びており、この錘支持部には、複数の錘が鍵ごとに連動して回動するように支持されている。具体的には、各錘は、前後方向に延び、一端部において左右方向に延びる支軸を中心として回動自在に支持されるとともに、鍵の支点よりも後方の所定位置に設けられた載置部に載置されている。これにより、錘による荷重が載置部を介して鍵に作用し、その荷重の分、鍵のタッチ重さが大きくなる。
【００１２】
また、操作部材の操作に連動して、スライダ駆動機構によってスライダが前後方向に駆動され、これと一体に、すべての錘も前後方向に移動する。この場合、錘の支軸が鍵の載置部に近づくときには、載置部を境とする錘の自由端側の部分の重量が次第に大きくなるとともに、その部分の重心と載置部との距離も次第に大きくなる。このため、錘の支軸回りのモーメントは、その支軸が載置部に近いほど大きくなり、特に、錘の支軸が載置部に比較的近い範囲では、支軸が載置部に近づくにつれ、上記モーメントの増加度合がより大きくなる。これにより、載置部を介して鍵に作用する錘の荷重も、錘の支軸が載置部に近いほど大きくなり、錘の支軸が載置部に比較的近い範囲において、支軸が載置部に近づくにつれ、荷重の増加度合がより大きくなる。
【００１３】
また、上記のスライダ駆動機構は、操作部材の操作量に対するスライダの移動量の変化度合が、錘の支軸が鍵の載置部に近づくにつれ、より小さくなるように構成されている。このため、上述した荷重の増加度合の増大と、スライダ駆動機構によるスライダの移動量の変化度合の減少との相殺により、操作部材の操作量に対する荷重の増加度合の増大を抑制することができる。これにより、錘の支軸が載置部に比較的近い範囲を含めて、操作部材の操作量に対し、荷重の変化がほぼ線形な関係を有することとなり、その結果、鍵盤のタッチ重さの変化もほぼ線形な関係を有する。したがって、本発明によれば、操作部材の全操作範囲にわたり、操作部材の操作量に応じてタッチ重さを増減することができ、タッチ重さの調整を容易に行うことができる。
【００１４】
請求項２に係る発明は、請求項１に記載の鍵盤楽器のタッチ重さ調整装置において、スライダ駆動機構は、操作部材の操作に連動して、スライダの移動方向に対して直交する方向に延びる回動軸を中心に回動自在に構成され、回動軸から径方向に所定距離、離れた位置の係合部を介して、スライダに係合する回動部材を有し、回動部材の回動に伴い、係合部を介してスライダが移動することによって、錘の支軸が鍵の載置部に最接近したときに、係合部が回動軸に対し、前後方向において前方または後方から対向することを特徴とする。
【００１５】
この構成によれば、スライダ駆動機構が、スライダの移動方向に対して直交する方向に延びる回動軸を中心に回動自在の回動部材を有しており、この回動部材が操作部材の操作に連動して回動する。また、この回動部材には、回動軸から径方向に所定距離、離れた位置に係合部が設けられ、この係合部にスライダが係合している。操作部材の操作により、回動部材が回動し、それに伴い、係合部を介してスライダが移動する。そして、このスライダとともに移動する錘の支軸が鍵の載置部に最接近したときに、回動部材の係合部が、回動軸に対し、前後方向において前方または後方から対向する。
【００１６】
この場合、回動部材の回動角度が、操作部材の操作量に応じて変化するのに対し、回動部材の係合部の前後方向の移動量は、次のように決まる。すなわち、例えば、回動部材の回動軸が上下方向に延び、その回動軸に対し、回動部材の係合部が、左右方向において左方または右方から対向するときの位置を基準位置（値０）とすると、係合部の前後方向の移動量は、回動軸から係合部までの距離に、回動部材の回動角度の正弦値を乗じた値となる。つまり、係合部の前後方向の移動量は、上記基準位置からの回動部材の回動角度が大きいほど、増加し、係合部が回動軸に対し、前後方向において前方または後方から対向する位置に近づくにつれ、移動量の変化度合が小さくなる。したがって、上記のような回動部材を有するスライダ駆動機構を用いることにより、前述した請求項１の作用、効果を容易に実現することができる。
【００１７】
請求項３に係る発明は、請求項１または２に記載の鍵盤楽器のタッチ重さ調整装置において、操作部材は、上下方向および左右方向の一方に延びる軸線を中心として回動自在に構成されていることを特徴とする。
【００１８】
この構成によれば、操作部材が、上下方向および左右方向の一方に延びる軸線を中心として回動自在であるので、タッチ重さの調整の際には、操作部材を時計方向または反時計方向に回すことにより、タッチ重さの調整を容易に行うことができる。また、例えば、操作部材を、それ自身の中心を通る軸線を中心として回動する、いわゆるダイヤル式に構成することにより、例えば前後方向などに移動させるタイプの操作部材に比べて、操作部材の設置スペースを小さくでき、それにより、鍵盤楽器の外観を良好に維持することができる。
【００１９】
請求項４に係る発明は、請求項１または２に記載の鍵盤楽器のタッチ重さ調整装置において、操作部材は、前後方向に移動自在に構成されていることを特徴とする。
【００２０】
この構成によれば、操作部材が、前後方向に移動自在であるので、タッチ重さの調整の際には、操作部材を前方または後方に移動させることにより、タッチ重さの調整を容易に行うことができる。
【００２１】
請求項５に係る発明は、請求項１ないし４のいずれかに記載の鍵盤楽器のタッチ重さ調整装置において、操作部材を、操作により移動した任意の位置にロックするロック機構を、さらに備えていることを特徴とする。
【００２２】
この構成によれば、タッチ重さの調整の際に、操作部材を移動させながら操作し、鍵盤のタッチ重さを所望のタッチ重さに設定する。そして、ロック機構により、操作部材をロックする。このように、操作部材をロックすることにより、鍵盤のタッチ重さを、設定した所望のタッチ重さに容易に維持することができる。また、演奏に伴う鍵盤楽器の振動などで操作部材が動いてしまうことがなく、演奏中もタッチ重さを安定して維持することができる。
【図面の簡単な説明】
【００２３】
【図１】本発明の第１実施形態によるタッチ重さ調整装置を適用したアップライトピアノの鍵盤、およびその周囲を部分的に示しており、（ａ）平面図、（ｂ）左側面図である。
【図２】操作ダイヤルの操作による回動レバーの動作を説明するための説明図であり、（ａ）タッチ重さが最小になるときの状態、（ｂ）タッチ重さが最大になるときの状態を示す。
【図３】タッチ重さ調整装置におけるウェイトレバーの位置を説明するための説明図であり、図２（ａ）および（ｂ）にそれぞれ対応する位置を示す。
【図４】ウェイトレバーを載置するウェイト載置ピンの位置と、鍵に作用する荷重との関係を示すグラフ図である。
【図５】（ａ）ウェイト載置ピンの移動量と鍵に作用する荷重との関係を示すグラフ図、（ｂ）回動レバーの基準位置からの回転角度とウェイト載置ピンの移動量との関係を示すグラフ図、（ｃ）操作ダイヤルの操作量とタッチ重さとの関係を示すグラフ図である。
【図６】スライダ駆動機構の変形例を示す平面図である。
【図７】スライダ駆動機構の変形例を示す平面図である。
【図８】本発明の第２実施形態によるタッチ重さ調整装置を示す平面図であり、（ａ）タッチ重さが最小になるときの状態、（ｂ）タッチ重さが最大になるときの状態を示す。
【図９】本発明の第３実施形態によるタッチ重さ調整装置を示す左側面図であり、（ａ）タッチ重さが最小になるときの状態、（ｂ）タッチ重さが最大になるときの状態を示す。
【図１０】操作ダイヤルのロック機構を示す図であり、（ａ）非ロック状態、（ｂ）ロック状態を示す。
【図１１】操作レバーのロック機構を示す図であり、（ａ）平面図、（ｂ）ロック状態、（ｃ）非ロック状態を示す。
【発明を実施するための形態】
【００２４】
以下、図面を参照しながら、本発明の好ましい実施形態を詳細に説明する。図１は、本発明の第１実施形態によるタッチ重さ調整装置を適用したアップライトピアノ（以下、単に「ピアノ」という）の鍵盤、およびその周囲を部分的に示している。同図に示すように、このピアノ１（鍵盤楽器）は、複数の鍵２ａ（図１（ａ）では３つのみ図示）を有する鍵盤２と、鍵２ａごとに設けられ、押鍵に伴って作動する複数のアクション３（図１（ａ）では省略、図１（ｂ）において１つのみ図示）と、鍵盤２のタッチ重さを調整するタッチ重さ調整装置４などを備えている。
【００２５】
鍵盤２は、棚板（図示せず）に載置された井桁状の筬（筬中５のみ図示）に下方から支持されている。具体的には、鍵盤２の複数の鍵２ａは、左右方向（図１（ａ）の上下方向）に並設されており、各鍵２ａが、前後方向（図１の左右方向）に延びるとともに、長さ方向の中央付近において、筬中５に立設されたバランスピン６（支点）に回動自在に支持されている。また、鍵２ａには、バランスピン６よりも後方（図１の左方）の所定位置に、上方に突出し、後述するウェイトレバー１２を載置するウェイト載置ピン７（載置部）が固定されている。各アクション３は、鍵２ａの押鍵力をハンマー（図示せず）に伝達するものであり、鍵２ａの後端部にキャプスタン８を介して載置された回動自在のウィッペン３ａと、このウィッペン３ａに回動自在に支持されたジャック３ｂなどを有している。押鍵により、対応するアクション３のウィッペン３ａやジャック３ｂなどが回動することでハンマーが回動し、そのハンマーによる打弦により、ピアノ１が発音する。
【００２６】
タッチ重さ調整装置４は、前後方向に移動自在のスライダ１１と、鍵２ａごとに設けられ、スライダ１１に支持された複数のウェイトレバー１２（錘）と、鍵盤２のタッチ重さを調整するために操作される操作ダイヤル１３（操作部材）と、この操作ダイヤル１３の操作に連動し、スライダ１１を前後方向に駆動するスライダ駆動機構１４とを備えている。
【００２７】
スライダ１１は、鍵盤２の両側に上下方向に延びるように配置された左右２つの支柱２１（図１（ｂ）において左側のもののみ図示）と、鍵盤２の上方において、両支柱２１、２１間にわたって左右方向に延び、左右の端部が、対応する支柱２１の上端部にそれぞれ固定されたウェイト支持レール２２（錘支持部）とを有している。各支柱２１は、側面形状が逆Ｔ字状に形成されており、前後方向に延びるように棚板上に取り付けられたガイドレール２３に、ベアリング２４を介して前後方向に移動自在に支持されている。また、ウェイト支持レール２２は、その長さ方向に沿って、所定の間隔ごとに後方に突設され、ウェイトレバー１２をそれぞれ支持する複数のウェイト支持部２２ａ（図１（ａ）では３つのみ図示）を有している。
【００２８】
各ウェイトレバー１２は、前後方向に所定長さ延び、角柱状に形成されたレバー部２７と、このレバー部２７の上面後端部に固定されたウェイト本体２８とで構成されている。レバー部２７は、前端部が二股状に形成されており、この前端部の内側にウェイト支持レール２２のウェイト支持部２２ａを間にした状態で、これらを貫通しかつ左右方向に延びる支軸２６を中心として、ウェイト支持部２２ａに回動自在に支持されている。また、ウェイト本体２８は、鉄などの金属をブロック状に形成したものであり、所定の重量を有している。
【００２９】
以上のように構成されたウェイトレバー１２は、対応する鍵２ａのウェイト載置ピン７に載置されている。これにより、ウェイトレバー１２による荷重がウェイト載置ピン７を介して鍵２ａに作用し、その荷重の分、鍵２ａのタッチ重さが大きくなる。
【００３０】
操作ダイヤル１３は、所定の径および高さを有する円柱状に形成されており、鍵盤２の左方に配置された拍子木（図示せず）上に設けられている。また、操作ダイヤル１３は、その下面の中心から下方に所定長さ延び、拍子木を貫通する回動軸２９を有しており、この回動軸２９を中心として、これと一体に、図１（ａ）の時計方向および反時計方向に回動自在になっている。
【００３１】
スライダ駆動機構１４は、水平に所定長さ延び、基部が上記回動軸２９の下端部に固定された回動レバー３０（回動部材）と、前後方向に所定長さ延び、後端部が左側の支柱２１の下端部に接続されるとともに、前端部が回動レバー３０の先端部に係合し、それにより、スライダ１１と回動レバー３０を連結する連結部材３１とを有している。
【００３２】
回動レバー３０には、その先端部に、下方に突出する係合凸部３０ａ（係合部）が設けられている。また、連結部材３１には、その前端部に、左方に開放し、平面形状がＵ字状の係合溝３１ａが形成されている。この係合溝３１ａは、回動レバー３０よりも若干長く形成されており、内側に回動レバー３０の係合凸部３０ａが摺動自在に係合している。
【００３３】
次に、図２〜図５を参照しながら、鍵盤２のタッチ重さを調整する際のタッチ重さ調整装置４の動作について説明する。図２（ａ）は、操作ダイヤル１３およびその周囲を示しており、タッチ重さが最小になるときの状態である。この状態では、回動レバー３０は、左右方向に延びていて、係合凸部３０ａが、回動軸２９に対し、左右方向において左方から対向している。すなわち、係合凸部３０ａは、回動軸２９の左側の真横に位置している（以下、このときの回動レバー３０および操作ダイヤル１３の位置を「基準位置」という）。また、この状態では、図３（ａ）に示すように、ウェイトレバー１２の下面後端部が、鍵２ａのウェイト載置ピン７に載置されている。
【００３４】
図２（ａ）に示す状態から、操作ダイヤル１３を時計方向に回すと、回動軸２９を介して、回動レバー３０が操作ダイヤル１３と一体に回動する。この場合、回動レバー３０の係合凸部３０ａが、後方（図２の上方）に移動するのに伴い、係合凸部３０ａに係合する連結部材３１も後方に移動する。これにより、図３に示すように、スライダ１１も後方（図３の左方）に移動し、これに支持されたすべてのウェイトレバー１２も後方に移動する。このようにウェイトレバー１２が後方に移動することにより、その前端部の支軸２６が、ウェイトレバー１２を載置するウェイト載置ピン７に近づく。換言すると、そのウェイト載置ピン７が、相対的にウエイトレバー１２の支軸２６に近づく。
【００３５】
図４は、ウェイトレバー１２に対するウェイト載置ピン７の位置と、これを介して鍵２ａに作用する荷重との関係を示している。同図に示すように、ウェイト載置ピン７が、相対的にウェイトレバー１２の支軸２６に近づくにつれ、ウェイト載置ピン７を介して鍵２ａに作用するウェイトレバー１２の荷重が次第に大きくなる。これは、前述したように、ウェイト載置ピン７がウェイトレバー１２の支軸２６に近づくと、ウェイト載置ピン７を境とするウェイトレバー１２の自由端（後端）側の部分の重量およびその部分の重心とウェイト載置ピン７との距離が次第に大きくなることで、ウェイトレバー１２の支軸２６回りのモーメントが次第に大きくなるからである。
【００３６】
このように、ウェイト載置ピン７を介して鍵２ａに作用する荷重が増大するのに伴い、鍵２ａのタッチ重さも増大する。そして、操作ダイヤル１３をさらに回し、図２（ｂ）に示すように、回動レバー３０が基準位置から９０°回動すると、係合凸部３０ａが、回動軸２９に対し、前後方向において後方から対向する。すなわち、係合凸部３０は、回動軸２９の真後ろに位置する。この場合、図３（ｂ）に示すように、ウェイト載置ピン７は、ウェイトレバー１２の支軸２６に最接近し、これにより、ウェイト載置ピン７を介して鍵２ａに作用する荷重が最大になることで、タッチ重さも最大になる。
【００３７】
また、図４および図５（ａ）に示すように、ウェイト載置ピン７がウェイトレバー１２の支軸２６に比較的近い範囲では、前記モーメントの増加度合がより大きくなるため、鍵２ａに作用する荷重の増加度合もより増大する。これに対し、操作ダイヤル１３の回動操作に伴うウェイトレバー１２の移動量、換言すると、ウェイトレバー１２に対し相対的に移動するウェイト載置ピン７の移動量（以下「ウェイト載置ピン７の移動量」という）は、図５（ｂ）に示すように、基準位置（同図の０°）からの操作ダイヤル１３の回動角度が大きいほど、増加する。しかし、ウェイト載置ピン７の移動量は、操作ダイヤル１３の回動角度が９０°、すなわち、回動レバー３０の係合凸部３０ａが回動軸２９の真後ろの位置（図２（ｂ）参照）に近づくにつれ、増加度合がより小さくなる。これは、ウェイト載置ピン７の移動量が、回動レバー３０における回動軸２９から係合凸部３０ａまでの距離に、回動レバー３０の回動角度の正弦値を乗じた値になるためである。したがって、ウェイトレバー１２の移動量の増加度合は、ウェイト載置ピン７がウェイトレバー１２の支軸２６に比較的近い範囲において、前述した荷重の増加度合の変化とは逆に、より小さくなる。
【００３８】
以上により、タッチ重さが最も小さい状態から最も大きくなるように操作ダイヤル１３を操作する場合、操作ダイヤル１３を時計方向に回動操作し、回動レバー３０が基準位置から回動し始めると、操作ダイヤル１３の操作当初から操作の中程にかけては、その操作量に応じて、すべてのウェイトレバー１２が後方に移動し、したがって、タッチ重さも、操作ダイヤル１３の操作量に応じて次第に大きくなる。その後、操作ダイヤル１３の操作終了に近づくにつれて、ウェイト載置ピン７を介して鍵２ａに作用するウェイトレバー１２の荷重の増加度合が上昇するものの、ウェイトレバー１２の移動量の増加度合が低下するため、これらの相殺により、操作ダイヤル１３の操作量に対する荷重の増加度合の増大を抑制することができる。これにより、ウェイト載置ピン７がウェイトレバー１２の支軸２６に比較的近い範囲を含めて、操作ダイヤル１３の操作量に対し、上記荷重の変化がほぼ線形な関係を有することとなり、その結果、図５（ｃ）に示すように、鍵盤２のタッチ重さの変化もほぼ線形な関係を有する。
【００３９】
以上のように、本実施形態によれば、タッチ重さの増減量が、操作ダイヤル１３の操作量に対してほぼ線形な関係を有するので、操作ダイヤル１３の全操作範囲にわたり、その操作量に応じてタッチ重さを増減することができ、タッチ重さの調整を、微調整も含めて容易に行うことができる。また、操作ダイヤル１３は、それ自体が回動操作されるダイヤル式のものであるので、拍子木上の設置スペースを比較的小さくでき、それにより、ピアノ１の外観を良好に維持することができる。
【００４０】
図６は、スライダ駆動機構の変形例を示しており、このスライダ駆動機構４１は、スライダ１１と回動レバー３０を、ワイヤを介して連結するタイプのものである。同図に示すように、スライダ駆動機構４１は、ワイヤ４２と、このワイヤ４２を内部に通した状態で案内するワイヤガイド４３と、このワイヤガイド４３とスライダ１１の左側の支柱２１との間に配置され、スライダ１１を後方に付勢するばね４４などを備えている。
【００４１】
ワイヤ４２は、前後方向に所定長さ延びるように配置され、前端部が回動レバー３０の先端部のワイヤ取付部３０ｂ（係合部）に、後端部がスライダ１１の支柱２１の前端部に設けられた取付部２１ａに取り付けられている。ワイヤガイド４３は、前後方向に延びる円筒状に形成され、棚板上に固定された状態で、支柱２１と回動レバー３０との間に配置されている。
【００４２】
ばね４４は、コイルばねで構成され、その内側にワイヤ４２を通した状態で、前端部がワイヤガイド４３の後端部に取り付けられ、後端部が支柱２１の前記取付部２１ａに取り付けられている。また、回動レバー３０とワイヤガイド４３との間には、ワイヤ４２が摺接し、これにテンションを付与しながらワイヤ４２を円滑に案内するガイド部材４５が設けられている。
【００４３】
このように構成されたスライダ駆動機構４１を備えたタッチ重さ調整装置４では、例えば、図６に示す状態から、操作ダイヤル１３を反時計方向に回動させると、これと一体に回動レバー３０も回動する。これに伴い、ワイヤ４２が前方に引き出されるとともに、これに連結されたスライダ１１が、ばね４４の付勢力に抗して、前方に駆動される。これにより、ウェイトレバー１２が前方に移動し、鍵盤２のタッチ重さが小さくなる。一方、図６に示す状態から、操作ダイヤル１３を、時計方向に回動させると、ワイヤ４２が後方に送り出されるとともに、スライダ１１がばね４４の付勢力により、後方に駆動される。これにより、ウェイトレバー１２が後方に移動し、鍵盤２のタッチ重さが大きくなる。
【００４４】
以上のように、このスライダ駆動機構４１を備えたタッチ重さ調整装置４によれば、前記スライダ駆動機構１４を備えた場合と同様、操作ダイヤル１３の全操作範囲にわたり、その操作量に応じてタッチ重さを増減でき、タッチ重さを容易に調整することができる。また、スライダ駆動機構４１では、スライダ１１と回動レバー３０の間を、ワイヤ４２を介して連結するので、操作ダイヤル１３の設置位置の自由度を高めることができ、ピアノの種類や機種に柔軟に対応することができる。
【００４５】
図７は、スライダ駆動機構の他の変形例を示しており、このスライダ駆動機構５１は、操作ダイヤル１３の回動軸２９と回動レバー３０を、ギヤを介して連結するタイプのものである。スライダ駆動機構５１は、回動軸２９に固定された小径ギヤ５２と、これに噛み合うとともに、回動レバー３０の回動支点としての支軸３０ｃに固定された大径ギヤ５３とを備えている。
【００４６】
小径ギヤ５２および大径ギヤ５３は、いずれも平歯車であり、大径ギヤ５３が、小径ギヤ５２のほぼ２倍の径を有している。また、大径ギヤ５３が固定された回動レバー３０の先端部には、前記スライダ駆動機構１４の回動レバー３０と同様の係合凸部３０ａ、または前記スライダ駆動機構４１の回動レバー３０と同様のワイヤ取付部３０ｂが設けられる。したがって、回動レバー３０は、前者の場合には、スライダ駆動機構１４と同様、係合凸部３０ａを介して連結部材３１に係合し、後者の場合には、スライダ駆動機構４１と同様、ワイヤ取付部３０ｂを介して、ワイヤ４２に連結される。
【００４７】
このように構成されたスライダ駆動機構５１を備えたタッチ重さ調整装置４では、例えば、図７に示す状態から、操作ダイヤル１３を時計方向に回動させると、両ギヤ５２、５３を介して、回動レバー３０が反時計方向に回動する。これに伴い、連結部材３１またはワイヤ４２を介してスライダ１１が前方に駆動され、これとともにウェイトレバー１２が前方に移動し、鍵盤２のタッチ重さが小さくなる。一方、図７に示す状態から、操作ダイヤル１３を反時計方向に回動させると、回動レバー３０が時計方向に回動し、これに伴い、スライダ１１が後方に駆動される。これにより、ウェイトレバー１２が後方に移動し、鍵盤２のタッチ重さが大きくなる。
【００４８】
以上のように、このスライダ駆動機構５１を備えたタッチ重さ調整装置４によれば、前記スライダ駆動機構１４または４１を備えた場合と同様、操作ダイヤル１３の全操作範囲にわたり、その操作量に応じてタッチ重さを増減でき、タッチ重さを容易に調整することができる。また、スライダ駆動機構５１では、大径ギヤ５３の径が、小径ギヤ５２のそれのほぼ２倍であるため、回動レバー３０を９０°回動させるために、操作ダイヤル１３を約１８０°回動させることになる。このように操作ダイヤル１３の操作量が増大することにより、タッチ重さの微調整を行いやすくでき、タッチ重さの調整をより一層容易に行うことができる。
【００４９】
次に、図８を参照しながら、本発明の第２実施形態によるタッチ重さ調整装置について説明する。同図（ａ）に示すように、本実施形態によるタッチ重さ調整装置６１は、第１実施形態の回動操作タイプの操作ダイヤル１３と異なり、スライド操作タイプの操作レバー６２（操作部材）を採用したものである。なお、以下の説明では、前述した第１実施形態のタッチ重さ調整装置４と同一の構成部品については、同一の符号を付して、その詳細な説明を省略するものとする。
【００５０】
このタッチ重さ調整装置６１は、操作レバー６２と、この操作レバー６２とスライダ１１とを連結し、操作レバー６２の操作に連動してスライダ１１を前後方向に駆動するスライダ駆動機構６３とを備えている。
【００５１】
操作レバー６２は、上下方向（図８の表裏方向）に所定長さ延びるレバー本体６２ａを有しており、その上端部につまみ部６２ｂが設けられている。レバー本体６２ａは、細長い角柱状に形成されており、拍子木に設けられたレバーガイド６４の前後方向に延びるガイド孔６４ａを貫通するとともに、下端部が棚板上に設けられたガイドレール（図示せず）によって、前後方向にスライド自在に支持されている。
【００５２】
スライダ駆動機構６３は、操作レバー６２とスライダ１１との間に回動自在に設けられた回動レバー６６（回動部材）と、レバー本体６２ａの下端部に固定されるとともに、回動レバー６６に係合するレバー側係合部材６７と、スライダ１１の左側の支柱２１に接続されるとともに、回動レバー６６に係合するスライダ側係合部材６８とを有している。
【００５３】
回動レバー６６は、平面形状が所定の屈曲角度（例えば１３５°）を有するＶ字状に形成されており、その屈曲部分において、棚板から上方に突出する回動軸６６ａ（回動軸）を中心として回動自在に支持されている。また、回動レバー６６の上面には、操作レバー６２側の先端部に、上方に突出するレバー側係合凸部６６ｂが設けられるとともに、スライダ１１側の先端部に、上方に突出するスライダ側係合凸部６６ｃ（係合部）が設けられている。
【００５４】
レバー側係合部材６７は、平面形状が左右方向に延びかつ右方に開放するＵ字状の係合溝６７ａを有している。この係合溝６７ａには、回動レバー６６のレバー側係合凸部６６ｂが摺動自在に係合している。一方、スライダ側係合部材６８は、平面形状が左右方向に延びかつ左方に開放するＵ字状の係合溝６８ａを有している。この係合溝６８ａには、回動レバー６６のスライダ側係合凸部６６ｃが摺動自在に係合している。
【００５５】
次に、タッチ重さ調整装置６１の動作について説明する。図８（ａ）は、タッチ重さが最小になるときの状態であり、この状態では、操作レバー６２およびレバー側係合部材６７が、ガイド孔６４ａの後端（同図（ａ）の上端）付近に位置している。また、この状態では、回動レバー６６は、レバー側係合凸部６６ｂが回動軸６６ａの左斜め後方に位置するとともに、スライダ側係合凸部６６ｃが回動軸６６ａの右側の真横に位置している（以下、このときの回動レバー６６の位置を「基準位置」という）。
【００５６】
この状態から、つまみ部６２ｂをつまんで、操作レバー６２を前方にスライドさせると、これと一体にレバー側係合部材６７が前方に移動し、これに伴い、回動レバー６６が回動軸６６ａを中心に反時計方向に回動する。また、この回動レバー６６の回動に伴い、スライダ側係合部材６８が後方に移動し、これと一体に、スライダ１１およびこれに支持されたすべてのウェイトレバー１２が後方に移動する。これにより、第１実施形態と同様、ウェイト載置ピン７を介して鍵２ａに作用する荷重が増大するのに伴い、鍵２ａのタッチ重さが増大する。
【００５７】
そして、操作レバー６２を、さらに前方にスライドさせ、図８（ｂ）に示すように、操作レバー６２がガイド孔６４ａの前端付近に達し、回動レバー６６が基準位置から９０°回動すると、スライダ側係合凸部６６ｃが回動軸６６ａの真後ろに位置する。この場合、第１実施形態と同様、ウェイト載置ピン７が、相対的にウェイトレバー１２の支軸２６に最接近し、これにより、ウェイト載置ピン７を介して鍵２ａに作用する荷重が最大になることで、タッチ重さも最大になる。また、このタッチ重さ調整装置６１では、第１実施形態と同様、操作レバー６２の操作量に対し、上記荷重の変化がほぼ線形な関係を有することとなり、鍵盤２のタッチ重さの変化もほぼ線形な関係を有する。
【００５８】
以上のように、本実施形態によれば、タッチ重さの増減量が、操作レバー６２の操作量に対してほぼ線形な関係を有するので、操作レバー６２の全操作範囲にわたり、その操作量に応じてタッチ重さを増減することができ、第１実施形態と同様、タッチ重さの調整を容易に行うことができる。
【００５９】
次に、図９を参照しながら、本発明の第３実施形態によるタッチ重さ調整装置について説明する。同図（ａ）に示すように、本実施形態によるタッチ重さ調整装置７１は、回動操作タイプの操作レバー７２（操作部材）を採用したものである。なお、以下の説明では、第２実施形態と同様、前述した第１実施形態のタッチ重さ調整装置４と同一の構成部品については、同一の符号を付して、その詳細な説明を省略するものとする。
【００６０】
このタッチ重さ調整装置７１は、操作レバー７２と、この操作レバー７２とスライダ１１とを連結し、操作レバー７２の操作に連動してスライダ１１を前後方向に駆動するスライダ駆動機構７３とを備えている。
【００６１】
操作レバー７２は、上下方向に所定長さ延びるレバー本体７２ａを有しており、その上端部につまみ部７２ａが設けられている。レバー本体７２ａは、その下端部において、スライダ駆動機構７３の後述する円盤７４の外周部に固定されている。
【００６２】
スライダ駆動機構７３は、側面形状が所定長さの径を有する円形に形成され、左右方向に延びる回動軸７４ａを中心に回動自在の円盤７４（回動部材）と、円盤７４に係合し、この円盤７４とスライダ１１を連結する連結部材７５とを有している。円盤７４の左側面には、回動軸７４ａから径方向に所定距離、離れ、外方に突出する係合凸部７４ｂ（係合部）が設けられている。一方、連結部材７５には、その前端部に、上方に開放し、側面形状がＵ字状の係合溝７５ａが形成されている。この係合溝７５ａは、円盤７４の径よりも若干長く形成されており、内側に円盤７４の係合凸部７４ｂが摺動自在に係合している。
【００６３】
このように構成されたタッチ重さ調整装置７１において、図９（ａ）は、タッチ重さが最小になるときの状態である。この状態では、操作レバー７２が後方（同図の左方）に傾斜するとともに、円盤７４の係合凸部７４ｂが回動軸７４ａの真下に位置している（以下、このときの円盤７４の位置を「基準位置」という）。
【００６４】
この状態から、つまみ部７２ｂをつまんで、操作レバー７２を前方に操作すると、これと一体に、円盤７４がその回動軸７４ａを中心に時計方向に回動する。この場合、円盤７４の係合凸部７４ｂが、後方に移動するのに伴い、係合凸部７４ｂに係合する連結部材７５も後方に移動し、これと一体に、スライダ１１およびこれに支持されたすべてのウェイトレバー１２が後方に移動する。これにより、第１および第２実施形態と同様、ウェイト載置ピン７を介して鍵２ａに作用する荷重が増大するのに伴い、鍵２ａのタッチ重さが増大する。
【００６５】
そして、操作レバー７２を、さらに前方に操作し、操作レバー７２が図９（ｂ）に示す位置に達し、円盤７４が基準位置から９０°回動すると、係合凸部７４ｂが、回動軸７４ａの真後ろに位置する。この場合、第１および第２実施形態と同様、ウェイト載置ピン７が、相対的にウェイトレバー１２の支軸２６に最接近し、これにより、ウェイト載置ピン７を介して鍵２ａに作用する荷重が最大になることで、タッチ重さも最大になる。また、このタッチ重さ調整装置７１では、第１および第２実施形態と同様、操作レバー７２の操作量に対し、上記荷重の変化がほぼ線形な関係を有することとなり、鍵盤２のタッチ重さの変化もほぼ線形な関係を有する。
【００６６】
以上のように、本実施形態によれば、タッチ重さの増減量が、操作レバー７２の操作量に対してほぼ線形な関係を有するので、操作レバー７２の全操作範囲にわたり、その操作量に応じてタッチ重さを増減することができ、第１および第２実施形態と同様、タッチ重さの調整を容易に行うことができる。
【００６７】
また、以上の各実施形態のタッチ重さ調整装置４、６１および７１において、設定したタッチ重さを保持するために、前述した操作ダイヤルや操作レバーをロックするロック機構を設けてもよい。
【００６８】
図１０は、回動操作タイプの操作ダイヤルに適用したロック機構を示している。同図（ａ）に示すように、このロック機構８１は、押し下げ可能な操作ダイヤル８２と、操作ダイヤル８２の側方（同図では左方）に設けられ、操作ダイヤル８２を回動不能にロックするためのロック部材８３と、操作ダイヤル８２の下方に設けられ、これを押し下げられた状態に保持するための保持機構８４などを備えている。
【００６９】
操作ダイヤル８２は、平面形状が円形に形成され、周縁部が垂下するダイヤル本体９１と、このダイヤル本体９１の中心から下方に所定長さ延びる回動軸９２とを有し、縦断面がほぼＴ字状に形成されている。ダイヤル本体９１の周縁部の下端部には、その周方向に沿って、ロック部材８３の後述する係合凹部８３ａに係合可能な多数の係合歯９１ａが設けられている。
【００７０】
一方、回動軸９２は、上下方向に延びる円筒状のスリーブ９３に遊挿された状態で、このスリーブ９３とともに、所定形状の支持部材９４を貫通するように配置されている。また、回動軸９２の下端部には、下方に向かってテーパ状に形成されたテーパ部９２ａが設けられ、このテーパ部９２ａの直ぐ上に、周方向の全体にわたって外方に開放する係止凹部９２ｂが設けられている。また、回動軸９２には、その長さ方向の中央よりも若干上側の位置に、外方に突出し、スリーブ９３の上下方向に延びる長孔９３ａに摺動自在に係合する係合凸部９２ｃが設けられている。スリーブ９３は、前記支持部材９４に対し、上下方向に不動にかつ回動自在に支持されており、前記回動レバー３０の基部に貫通した状態で、これに固定されている。また、回動軸９２およびスリーブ９３の周囲には、ダイヤル本体９１と支持部材９４の間に、操作ダイヤル８２を上方に付勢するコイルばねが９５設けられている。
【００７１】
このように構成された操作ダイヤル８２は、スリーブ９３に対し、その長孔９３ａの長さ分、上下方向に移動可能であり、また、操作ダイヤル８２が回動操作されるのに伴い、回動軸９２と一体に、スリーブ９３が回動し、それに伴い、回動レバー３０も回動する。なお、操作ダイヤル８２の回動軸９２は、スリーブ９３に対し、上下方向に移動可能でかつ一体に回動できるように構成されていればよいので、例えば、回動軸９２の横断面を、矩形状や星形などに形成するとともに、スリーブ９３の横断面を、回動軸９２のそれと相補的な形状を有するようにしてもよい。この場合には、回動軸９２の係合凸部９２ｃおよびスリーブ９３の長孔９３ａを省略することができる。
【００７２】
ロック部材８３は、拍子木に嵌め込まれており、ダイヤル本体９１の側方から下方に回り込むような形状を有している。また、ロック部材８３には、ダイヤル本体９１側の下端部に、ダイヤル本体９１の係合歯９１ａに下方から対向し、上方に開放する所定深さの係合凹部８３ａが形成されている。
【００７３】
保持機構８４は、操作ダイヤル８２の回動軸９２の下方に配置されており、下端部の水平な支軸（図示せず）を中心として回動自在の一対の係止爪８４ａ、８４ａを有している。両係止爪８４ａ、８４ａは、上記支軸の付近が回動軸９２のテーパ部９２ａで上方から押圧されることにより、回動軸９２の係止凹部９２ｂに両側から嵌り込むように係止することで、操作ダイヤル８２の上方への移動を阻止するように構成されている。また、これらの係止爪８４ａ、８４ａは、上記の状態から、さらに押圧されることにより、係止凹部９２ｂとの係合を解除することで、操作ダイヤル８２の上方への移動を許容するように構成されている。
【００７４】
以上のように構成されたロック機構８１を備えたタッチ重さ調整装置４では、前述した第１実施形態の操作ダイヤル１３と同様、操作ダイヤル８２を回し、鍵盤２のタッチ重さを所望のタッチ重さに設定することができる。この設定の後、操作ダイヤル８２を、コイルばね９５の付勢力に抗して上方から押圧すると、図１０（ｂ）に示すように、ダイヤル本体９１のいずれかの係合歯９１ａがロック部材８３の係合凹部８３ａに噛み合うとともに、保持機構８４の両係止爪８４ａ、８４ａが回動軸９２の下端部の係止凹部９２ｂを係止する。この状態では、ダイヤル本体９１の係合歯９１ａがロック部材８３の係合凹部８３ａに噛み合った状態に保持されるので、操作ダイヤル８２が回動不能にロックされる。
【００７５】
一方、この操作ダイヤル８２のロックを解除する場合には、操作ダイヤル８２を一旦、上方から押圧する。これにより、保持機構８４の両係止爪８４ａ、８４ａによる回動軸９２の係止が解除され、コイルばね９５で操作ダイヤル８２が押し上げられることにより、ダイヤル本体９１の係合歯９１ａがロック部材８３の係合凹部８３ａから外れる。このようにして、ロックが解除された操作ダイヤル８２では、回動操作が可能となり、タッチ重さの調整が可能となる。
【００７６】
以上のように、ロック機構８１を備えたタッチ重さ調整装置４によれば、操作ダイヤル８２を操作し、所望のタッチ重さに設定した状態で、操作ダイヤル８２をロック状態にすることにより、鍵盤２のタッチ重さを、設定した所望のタッチ重さに維持することができる。また、演奏に伴うピアノ１の振動などで操作ダイヤル８２が動いてしまうことがなく、演奏中もタッチ重さを安定して維持することができる。
【００７７】
図１１は、スライド操作タイプの前記操作レバー６２に適用したロック機構１０１を示している。同図（ａ）および（ｂ）に示すように、このロック機構１０１は、前後方向（同図（ａ）の上下方向）にスライド自在の操作レバー６２の右方に設けられたロックレバー１０２と、操作レバー６２を案内するとともに、ロックレバー１０２が係合することによって、操作レバー６２をスライド不能にロックするためのレバーガイド１０３などを備えている。
【００７８】
図１１（ｂ）に示すように、ロックレバー１０２は、操作レバー６２のレバー本体６２ａに沿って上下方向に延びる所定形状を有している。具体的には、ロックレバー１０２は、その上端部および下端部がレバー本体６２ａから所定間隔を隔てるとともに、中央部がレバー本体６２ａに近接するように配置され、その中央部において、前後方向に延びる支軸１０４を中心に回動可能な状態で、レバー本体６２ａに取り付けられている。また、ロックレバー１０２の下端部は、レバーガイド１０３の上方から右方に回り込むように形成されており、レバーガイド１０３の後述する係合凹部１０３ａに係合可能な係合歯１０２ａを有している。また、ロックレバー１０２の上端部とレバー本体６２ａとの間には、ロックレバー１０２を図１１（ｂ）の時計方向に回動するように付勢するばね１０５が設けられている。
【００７９】
レバーガイド１０３は、平面形状が前後方向に延びる矩形状に形成されており、操作レバー６２を案内するための前後方向に延びるガイド孔１０３ａを有している。また、レバーガイド１０３の右縁部には、その長さ方向に沿って、ロックレバー１０２の係合歯１０２ａが係合可能な多数の係合凹部１０３ｂが設けられている。そして、ロックレバー１０２の下端部の係合歯１０２ａが、レバーガイド１０３の係合凹部１０３ｂのいずれかに噛み合うことにより、操作レバー６２がスライド不能にロックされる。
【００８０】
以上のように構成されたロック機構１０１を備えたタッチ重さ調整装置６１では、タッチ重さを調整する場合、操作レバー６２のつまみ部６２ｂをつまむとともに、ロックレバー１０２の上端部を、ばね１０５の付勢力に抗して、操作レバー６２側に押圧する。これにより、図１１（ｃ）に示すように、ロックレバー１０２は、操作レバー６２に対し、上端部が近づくとともに下端部が離れるように若干回動することによって、係合歯１０２ａがレバーガイド１０３の係合凹部１０３ｂから外れ、それにより、操作レバー６２のロックが解除される。そして、ロックレバー１０２を押圧した状態のまま、操作レバー６２を前後方向にスライドさせることにより、鍵盤２のタッチ重さを所望のタッチ重さに設定することができる。この設定の後、操作レバー６２（ロックレバー１０２を含む）から手を離すと、ばね１０５の復元力により、ロックレバー１０２が元の状態に復帰し、その下端部の係合歯１０２ａが、レバーガイド１０３の係合凹部１０３ｂに噛み合うことによって、操作レバー６２がロックされる。
【００８１】
以上のように、ロック機構１０１を備えたタッチ重さ調整装置６１によれば、前記ロック機構８１を備えたタッチ重さ調整装置４と同様、鍵盤２のタッチ重さを、設定した所望のタッチ重さに安定して維持することができる。また、操作レバー６２を操作し、所望のタッチ重さに設定した後、操作レバー６２から手を離すだけで、操作レバー６２を簡単にロックすることができる。なお、このロック機構１０１とほぼ同様に構成されたロック機構により、前記第３実施形態の操作レバー７２もロックすることが可能である。
【００８２】
なお、本発明は、説明した実施形態に限定されることなく、種々の態様で実施することができる。実施形態では、アップライトピアノに適用したタッチ重さ調整装置４、６１および７１を例示したが、本発明は、これに限定されるものではなく、例えばグランドピアノなどのアコースティックピアノはもちろん、アコースティックピアノと同様の鍵盤、すなわち各鍵が長さ方向の中央付近において回動自在に支持された鍵盤を備えた電子ピアノなどにも適用することが可能である。
【００８３】
また、実施形態では、スライダ１１のウェイト支持レール２２に、ウェイトレバー１２の前端部が支持されるように構成したが、ウェイトレバー１２の後端部が支持されるように構成することも可能である。ただしこの場合、タッチ重さが最大になるときに、第１実施形態の回動レバー３０の係合凸部３０ａや、第２実施形態の回動レバー６６のスライダ側係合凸部６６ｃ、第３実施形態の円盤７４の係合凸部７４ｂが、回動軸２９、６６ａ、７４ａに対し、前後方向において前方から対向する位置、すなわち回動軸２９、６６ａ、７４ａの真正面に位置するように、操作ダイヤル１３や操作レバー６２、７２、回動レバー３０、６６、円盤７４などを適宜、変更する必要がある。また、実施形態で示したタッチ重さ調整装置４、６１、７１の細部の構成などは、あくまで例示であり、本発明の趣旨の範囲内で適宜、変更することができる。
【符号の説明】
【００８４】
１    ピアノ（鍵盤楽器）
２    鍵盤
２ａ  鍵
４    タッチ重さ調整装置
６    バランスピン（支点）
７    ウェイト載置ピン（載置部）
１１    スライダ
１２    ウェイトレバー（錘）
１３    操作ダイヤル（操作部材）
１４    スライダ駆動機構
２２    ウェイト支持レール（錘支持部）
２６    支軸
２９    回動軸
３０    回動レバー（回動部材）
３０ａ  係合凸部（係合部）
４１    スライダ駆動機構
５１    スライダ駆動機構
６１    タッチ重さ調整装置
６２    操作レバー（操作部材）
６３    スライダ駆動機構
６６    回動レバー（回動部材）
６６ａ  回動軸
６６ｃ  スライダ係合凸部（係合部）
７１    タッチ重さ調整装置
７２    操作レバー（操作部材）
７３    スライダ駆動機構
７４    円盤（回動部材）
７４ａ  回動軸
７４ｂ  係合凸部（係合部）
８１    ロック機構
８２    操作ダイヤル（操作部材）
１０１    ロック機構
【図１】
2010266719.tif 000003
【図２】
2010266719.tif 000004
【図３】
2010266719.tif 000005
【図４】
2010266719.tif 000006
【図５】
2010266719.tif 000007
【図６】
2010266719.tif 000008
【図７】
2010266719.tif 000009
【図８】
2010266719.tif 000010
【図９】
2010266719.tif 000011
【図１０】
2010266719.tif 000012
【図１１】
2010266719.tif 000013